(57)【要約】      （修正有）【課題】文字の順序の規則性を十分に知らない幼児や外国人等でも容易に目的の文字入力が可能な文字入力装置及び文字入力方法並びに文字入力プログラムを提供する。【解決手段】コンピュータ２００は、行と列で構成される表示文字一覧のデータを予め記憶する。表示開始時には、表示装置３００の文字選択表示部に表示文字一覧をドラムロール式に部分的に表示する。コンピュータ２００は、入力装置１００であるポインティングデバイスにより文字選択表示部を行方向に回転させる行選択処理２０１ａと、文字選択表示部を列方向に移動させる列選択処理２０２ａと、行選択処理２０１ａ及び列選択処理２０２ａによって文字を決定する文字決定処理２０３とを実行する。【選択図】図２
2017153023.tif 000002
【特許請求の範囲】
【請求項１】
ポインティングデバイスと、
表示装置と、
行と列で構成される表示文字一覧のデータを予め記憶するとともに表示開始時に前記表示装置の文字選択表示部に前記表示文字一覧をドラムロール式に部分的に表示し、前記ポインティングデバイスによって前記文字選択表示部を前記行方向に回転させる行選択処理と、前記文字選択表示部を前記列方向に移動させる列選択処理と、前記行選択処理及び前記列選択処理によって文字を決定する文字決定処理とを実行する演算装置とを備えた
文字入力装置。
【請求項２】
前記ポインティングデバイスがホイール付きマウスであり、
前記演算装置は、前記マウスのマウスホイールが回転させられたときに前記行選択処理を実行し、前記マウスが移動させられたときに前記列選択処理を実行し、前記マウスのマウスボタンがクリックされたときに前記文字決定処理を実行する
請求項１に記載の文字入力装置。
【請求項３】
前記ポインティングデバイスがタッチパネルであり、
前記演算装置は、前記タッチパネルがフリック操作されたときに前記行選択処理を実行し、前記タッチパネルがスライドさせられたときに前記列選択処理を実行し、前記タッチパネルがタップされたときに前記文字決定処理を実行する
請求項１に記載の文字入力装置。
【請求項４】
前記表示文字一覧の文字は、ひらがな、片仮名、及びアルファベットのいずれか一つである
請求項１に記載の文字入力装置。
【請求項５】
前記演算装置は、入力装置から前記表示開始の指示を受けたとき、前記表示文字一覧から前記文字選択表示部に変換して前記表示装置に表示させる
請求項１又は４に記載の文字入力装置。
【請求項６】
前記演算装置は、前記文字決定処理によって決定した文字をさらに再生する音声再生処理を実行する
請求項１に記載の文字入力装置。
【請求項７】
行と列で構成される表示文字一覧のデータを予め記憶し、
表示開始時に表示装置の文字選択表示部に前記表示文字一覧をドラムロール式に部分的に表示し、
ポインティングデバイスによって前記文字選択表示部を前記行方向に回転させる行選択処理と、前記文字選択表示部を前記列方向に移動させる列選択処理と、前記行選択処理及び前記列選択処理によって文字を決定する文字決定処理とを実行する
文字入力方法。
【請求項８】
前記ポインティングデバイスがホイール付きマウスのとき、
前記マウスのマウスホイールが回転させられたときに前記行選択処理を実行し、前記マウスが移動させられたときに前記列選択処理を実行し、前記マウスのマウスボタンがクリックされたときに前記文字決定処理を実行する
請求項７に記載の文字入力方法。
【請求項９】
前記ポインティングデバイスがタッチパネルのとき、
前記タッチパネルがフリック操作されたときに前記行選択処理を実行し、前記タッチパネルがスライドさせられたときに前記列選択処理を実行し、前記タッチパネルがタップされたときに前記文字決定処理を実行する
請求項７に記載の文字入力方法。
【請求項１０】
前記表示文字一覧の文字は、ひらがな、片仮名、及びアルファベットのいずれか一つである
請求項７に記載の文字入力方法。
【請求項１１】
入力装置から前記表示開始を受けたとき、前記表示文字一覧から前記文字選択表示部に変換して前記表示装置に表示させる
請求項７又は１０に記載の文字入力方法。
【請求項１２】
前記文字決定処理によって決定した文字をさらに再生する音声再生処理を実行する
請求項７に記載の文字入力方法。
【請求項１３】
請求項７から１２のいずれか１項に記載の文字入力方法をコンピュータに実行させる文字入力プログラム。
【発明の詳細な説明】
【技術分野】
【０００１】
本発明は、入力装置を用いての文字入力を行う文字入力装置及び文字入力方法並びに文字入力プログラムに関するものである。
【背景技術】
【０００２】
文字入力を行う技術として、キーボードのような基本的な入力装置の他にマウスやタッチパネル等のポインティングデバイスを使用した文字入力装置が広く知られている。これらの文字入力装置では、画面上に並べられた文字選択領域内の文字をオペレータが選択することで文字入力を行う。
【０００３】
このような文字入力装置としては、従来より、画面上に並べられた文字選択領域に規則性を持ったグループに分けた文字を並べ、オペレータがその中の一つを選択することで選択したグループに対する文字の一覧が表示し、オペレータはその一覧から目的の文字を選択することで入力する文字を決定するものがある（例えば、特許文献１参照）。
【０００４】
この場合、入力文字が平仮名であれば、「あ行」から「わ行」までの全ての行を表示した後、各行の「あ列」を一覧表示する。オペレータが希望の行を選択することで選択行の「あ列」から「お列」の文字が一覧表示され、その中から目的の文字を選択する。
【０００５】
また、入力文字がアルファベットであれば、アルファベット順に５個ずつのグループに分け、その先頭文字を一覧表示し、オペレータが目的の文字が含まれるグループの先頭文字を選択することでグループ内の５文字が一覧表示され、その中から目的の文字を選択する。
【０００６】
一方、別の従来技術としては、画面上に設けた「マウス入力」ボタンをオペレータがクリックすると「英数」、「かな」、「カナ」、及び「特殊」の４つのグループ分けされたボタンが表示され、グループを選択すると、そのグループ内の文字一覧が表示され、その中から目的の文字を選択するものがある（例えば、特許文献２参照）。
【先行技術文献】
【特許文献】
【０００７】
【特許文献１】特開２０１１−１３４３１３
【特許文献２】特開昭６３−２２９５１５
【発明の概要】
【発明が解決しようとする課題】
【０００８】
上記の特許文献による従来のポインティングデバイスを用いた文字入力装置では、仮名入力の場合は「あ行」から「わ行」の全ての行を選択した後に「あ列」から「お列」を決定しなければならない。
また、アルファベット入力の場合はアルファベット順に５文字に区切ったグループのうち、一つを選択した後に目的の文字を決定するという２ステップを踏む必要があり、５０音順やアルファベット順を習熟している者にとっては直感的に文字入力を行うことが可能である。
【０００９】
しかしながら、このような従来のポインティングデバイスを用いた文字入力装置では、幼児や外国人など、これら規則性の習熟度が低い者にとっては、探す対象が多過ぎるため、目的の文字がどこの行或いはグループに属しているのか判断することが困難であり、文字入力し難いという問題がある。
【００１０】
本発明は、上記の課題を解決するためになされたもので、文字の順序の規則性を十分に知らない人でも容易に目的の文字が入力可能な文字入力装置、文字入力方法、及び文字入力プログラムを提供することを目的とする。
【課題を解決するための手段】
【００１１】
上記の目的を達成するため、本発明に係る文字入力装置は、ポインティングデバイスと、表示装置と、行と列で構成される表示文字一覧のデータを予め記憶するとともに表示開始時に前記表示装置の文字選択表示部に前記表示文字一覧をドラムロール式に部分的に表示し、前記ポインティングデバイスによって前記文字選択表示部を前記行方向に回転させる行選択処理と、前記文字選択表示部を前記列方向に移動させる列選択処理と、前記行選択処理及び前記列選択処理によって文字を決定する文字決定処理とを実行する演算装置とを備えたものである。
【００１２】
また、上記の目的を達成するため、本発明では、行と列で構成される表示文字一覧のデータを予め記憶し、表示開始時に表示装置の文字選択表示部に前記表示文字一覧をドラムロール式に部分的に表示し、ポインティングデバイスによって前記文字選択表示部を前記行方向に回転させる行選択処理と、前記文字選択表示部を前記列方向に移動させる列選択処理と、前記行選択処理及び前記列選択処理によって文字を決定する文字決定処理とを実行する文字入力方法が提供される。
【００１３】
また、本発明では、上記の文字入力方法をコンピュータに実行させる文字入力プログラムも提供される。
【発明の効果】
【００１４】
本発明に係る文字入力装置及び文字入力方法の文字選択表示部は、表示文字一覧がドラムロール式で回転可能に部分的な行及び列として表示され、入力したい文字を目視で容易に探し当てることができるため、５０音或いはアルファベット順の規則性を知らない人にとっては、文字の形から選択することが出来るという効果がある。
【図面の簡単な説明】
【００１５】
【図１】一般的な文字入力装置の構成図である。
【図２】本発明に係る文字入力装置の実施の形態１として、特にコンピュータを機能ブロックで示した図である。
【図３】図１における表示装置の画面上に表示される文字選択表示部の図である。
【図４】図３に示す文字選択表示部上の「あ行」の「あ列」を選択している状態を示す図である。
【図５】図３に示す文字選択表示部上の「は行」の「あ列」を選択している状態を示す図である。
【図６】図３に示す文字選択表示部上の「は行」の「お列」を選択している状態を示す図である。
【図７】文字選択表示部上の文字種別が平仮名で濁点・半濁音なしの場合の表示文字一覧を示す図である。
【図８】文字選択表示部上の文字種別が平仮名で濁点ありの場合の表示文字一覧を示す図である。
【図９】文字選択表示部上の文字種別が平仮名で半濁点ありの場合の表示文字一覧を示す図である。
【図１０】文字選択表示部上の文字種別が全角カタカナで濁点・半濁点なしの場合の表示文字一覧を示す図である。
【図１１】文字選択表示部上の文字種別が全角カタカナで濁点ありの場合の表示文字一覧を示す図である。
【図１２】文字選択表示部上の文字種別が全角カタカナで半濁点ありの場合の表示文字一覧を示す図である。
【図１３】文字選択表示部上の文字種別が半角カタカナで濁点・半濁点なしの場合の表示文字一覧を示す図である。
【図１４】文字選択表示部上の文字種別が半角カタカナで濁点ありの場合の表示文字一覧を示す図である。
【図１５】文字選択表示部上の文字種別が半角カタカナで半濁点ありの場合の表示文字一覧を示す図である。
【図１６】文字選択表示部上の文字種別が全角英数字で小文字の場合の表示文字一覧を示す図である。
【図１７】文字選択表示部上の文字種別が全角英数字で大文字の場合の表示文字一覧を示す図である。
【図１８】文字選択表示部上の文字種別が半角英数字で小文字の場合の表示文字一覧を示す図である。
【図１９】文字選択表示部上の文字種別が半角英数字で大文字の場合の表示文字一覧を示す図である。
【図２０】文字選択表示部上の文字種別が記号の場合の表示文字一覧を示す図である。
【図２１】本発明に係る文字入力装置の実施の形態１において、ポインティングデバイスとしてホイール付きマウスを使用して文字決定操作を行うときのフローチャートである。
【図２２】本発明に係る文字入力装置の実施の形態２において、ポインティングデバイスとしてタッチパネルを使用して文字決定操作を行うときのフローチャートである。
【発明を実施するための形態】
【００１６】
以下に、図面を参照して本発明に係る文字入力装置及び文字入力方法の実施の形態を詳細に説明する。なお、以下の説明では、文字入力装置について行うが、文字入力方法及び文字入力プログラムも同様に適用される。
【００１７】
実施の形態１．
本発明の実施の形態１に係る文字入力装置の構成は、図１に示すように、文字入力のデータ処理を実行する演算装置としてのコンピュータ２００に、文字を入力するための入力装置１００としてのキーボード１０３及びポインティングデバイスとしてのホイール付きマウス１０１と、文字入力のための表示を実行する表示装置３００とが接続されている。
【００１８】
ホイール付きマウス１０１は、マウスホイール１０１ａを回転することで選択操作が可能である。また、ホイール付きマウス１０１は左右に移動させることにより選択操作が可能である。さらに、ホイール付きマウス１０１はマウスボタン１０１ｂを有し、このマウスボタン１０１ｂをクリックすることで決定操作が可能である。
【００１９】
図２は、本実施の形態１による文字入力装置において、入力装置１００と、コンピュータ２００と、表示装置３００との接続関係を示し、特にコンピュータ２００の処理内容を具体的に示している。なお、コンピュータ２００には、図示していない記憶装置において、後述する種々の表示文字一覧（例えば、図７〜図２０参照。）と演算プログラム（例えば、図２１及び図２２参照。）が予め記憶されている。
【００２０】
入力装置１００としては、まず、キーボード１０３により、種々の表示文字一覧を記憶装置から読み出して表示装置３００に表示し、その中からオペレータが規模する表示文字一覧（例えば、図７の平仮名一覧。）を選択する。これにより、コンピュータ２００は、図示の機能ブロックによるデータ処理２０１〜２０４を実行する。
【００２１】
コンピュータ２００は、まず、オペレータが選択したその表示文字一覧を全て表示するのではなく、図３に示すような、例えば３行５列だけの、ドラムローラ式に上下方向に切替表示可能な文字選択表示部４００を表示装置３００に表示させる。この場合、文字選択表示部４００は、ドラムローラ式で表示されるため、中央の第２行目が最も視認し易くなる。これにより、仮名やアルファベット等の規則性を知らない人が文字入力を行う上で文字を選択する手掛かりとなる情報を、視覚的に補助することが可能となる。
【００２２】
次に、ポインティングデバイスとしてのホイール付きマウス１０１を使用して文字入力を実行する場合について概略的に説明する。
オペレータがホイール付きマウス１０１を操作することにより、コンピュータ２００は、図２に示すように、始めに行選択処理２０１を実行し、次に列選択処理２０２を実行する。そして、文字決定処理２０３を実行することで文字を決定する。コンピュータ２００は決定された文字を表示装置３００に表示させる。さらに、コンピュータ２００は、文字を決定する時、決定した文字の音声再生２０４を実行することもできる。
【００２３】
次に、仮名入力の場合を例に文字入力装置のコンピュータ２００が実行するデータ処理フローについて、図３を参照して説明する。
まず、行選択処理２０１では、図３に示すように、表示装置３００にドラムロール式に表示された文字選択表示部４００がホイール付きマウス１０１の操作により上下に回転するようになっている。
【００２４】
図３の例では、太字の「あ」がオペレータによって選択された選択中文字６００として示されており、それ以外の領域が非選択文字５００を示している。ここで、選択された文字が強調されて表示され、選択していない文字が強調されずに表示されていれば、その表示の仕方は太字と細字の対比以外でも良いのは言うまでもない。例えば、選択された文字の輝度を大きくするとか、色を選択されていない文字と異ならせる等の強調の仕方もある。
【００２５】
行選択処理２０１は、入力装置１００にポインティングデバイスを使用する場合、その種類によって操作が異なる。ポインティングデバイスにホイール付きマウス１０１を使用する場合はマウスホイール１０１ａを回転させることでドラムロール式になっている文字選択表示部４００を上下に回転させ、文字の選択を実行可能にしている。
【００２６】
ポインティングデバイスに、図示しないタッチパネルを使用する場合は、文字選択表示部４００を上下にフリックさせることでドラムロールを回転させ、選択しようとする文字の行の選択を実行する。図３において、行選択処理２０１でドラムロール式の文字選択表示部４００を回転させることで、選択しようとする行が含まれた文字一覧が選ばれる。
【００２７】
次にコンピュータ２００は、列選択処理２０２において、オペレータが文字選択表示部４００上をカーソルを左右に移動させることによって行選択された文字一覧の中から、オペレータが希望する文字の列選択を実行する。なお、図３の例では文字選択表示部４００の中は３行５列で構成されているが、２行目を含む文字一覧が選ばれた後に２行目でかつ１列目の「あ」の文字が選択されて強調表示されている状態が示されている。
【００２８】
次の列選択処理２０２も、入力装置１００にポインティングデバイスを使用する場合、その種類によって操作が異なる。すなわち、ポインティングデバイスにホイール付きマウス１０１を使用する場合はマウスを移動させることで文字を選択するが、タッチパネル１０２を使用する場合はタッチパネル上をスライドさせることで文字を選択する。
【００２９】
ただし、次の文字決定処理２０３をタップ操作で実行する場合は、列選択処理２０２を行わずにいきなりタッチパネル２０１上の選択したい文字の位置に指を持っていき、タップ操作による文字決定処理２０３で文字を設定するようにしてもよい。この場合、タッチパネル上をスライドさせる動作が不要で迅速な文字の決定が可能となる。
【００３０】
この文字決定処理２０３は、行選択処理２０１及び列選択処理２０２で選択した文字の決定処理を実行する。文字決定処理２０３は、入力装置１００にポインティングデバイスを使用する場合、その種類によって操作が異なる。ポインティングデバイスにホイール付きマウス１０１を使用する場合はマウスボタン１０１ｂを左クリックすることで文字を決定する。ポインティングデバイスにタッチパネルを使用する場合は文字選択表示部４００上の任意の文字をタップすることで文字を決定する。
【００３１】
文字入力には、文字の入力の他に、例えばスペースや文字削除等の入力以外の操作を行うことが必要となる。本装置では文字選択表示部４００内に特殊キーを配置することとする。
【００３２】
さらに具体的にコンピュータ２００のデータ処理フローの内容について図４〜図６により説明する。
図４は入力装置１００にホイール付きマウス１０１を使用して行選択処理２０１を実行している状態を示している。この状態はマウスカーソル７００が文字選択表示部４００内のうち、「あ行」の「あ列」に当たっているため、選択中文字６００は「あ」となる。
【００３３】
この状態でマウスボタン１０１ｂを、オペレータが列選択処理２０２及び文字決定処理２０３としてクリックすると、「あ」が文字決定され、音声再生処理２０４が実行される。
次に、ホイール付きマウス１０１のマウスホイール１０１ａを回転させることで、行選択処理２０１を実行した場合、図５に示すように、オペレータはマウスホイール１０１ａを回転させ、「な行」から「ま行」までの３行に亘る部分的な文字一覧を文字選択表示部４００に表示させる。列選択処理２０２では、ホイール付きマウス１０１を使用し、文字選択表示部４００内でオペレータがマウスカーソル７００を左右に移動させることで実行される。
【００３４】
図６は、図５の状態からホイール付きマウス１０１を右に移動させてマウスカーソル７００を「ほ」の位置にした状態を示す。この時、ホイール付きマウス１０１を上又は下に移動させて、「な行」又は「ま行」から文字を選択してもよい。
【００３５】
タッチパネルを使用する場合は、オペレータは、行選択処理２０１をフリック操作によって行い、列選択処理２０２はスライド操作によって行う。また、文字決定処理２０３はタップ操作によって実行する。
【００３６】
文字決定処理２０３が完了すると、音声再生２０４にて決定された文字が音声として出力される。決定した文字が何であるかを音声でも確認できる。決定した文字が目的の文字でなかった場合は再度文字入力処理を行えばよい。そうすれば文字の形状を正確に覚えていなくても確実に目的の文字を入力することが可能となる。
【００３７】
ここで、ドラムロール式の文字選択表示部４００の元となる、コンピュータ２００内に予め記憶された表示文字一覧を例を図７〜図２０に示す。
【００３８】
図７は、文字種別が濁音及び半濁音なし平仮名入力の場合の入力可能な文字の一覧を示している。「あ行」から「わ行」の５０音と半音及び特殊キーをサイクリックにドラムロール式表示を実行する。
図８は、文字種別が平仮名で濁点ありの場合の表示文字一覧を示している。
図９は、文字種別が平仮名で半濁点ありの場合の表示文字一覧を示している。
図１０は、文字種別が全角カタカナで濁点・半濁点なしの場合の表示文字一覧を示している。
図１１は、文字種別が全角カタカナで濁点ありの場合の表示文字一覧を示している。
図１２は、文字種別が全角カタカナで半濁点ありの場合の表示文字一覧を示している。
図１３は、文字種別が半角カタカナで濁点・半濁点なしの場合の表示文字一覧を示している。
図１４は、文字種別が半角カタカナで濁点ありの場合の表示文字一覧を示している。
図１５は、文字種別が半角カタカナで半濁点ありの場合の表示文字一覧を示している。
図１６は、文字種別が全角英数字で小文字の場合の表示文字一覧を示している。
図１７は、文字種別が全角英数字で大文字の場合の表示文字一覧を示している。
図１８は、文字種別が半角英数字で小文字の場合の表示文字一覧を示している。
図１９は、文字種別が半角英数字で大文字の場合の表示文字一覧を示している。
図２０は、文字種別が記号の場合の表示文字一覧を示している。
【００３９】
これらの文字種別は、いずれも、オペレータがキーボード１０３を操作することによって、コンピュータ２００から読み出され、且つドラムロール式の文字選択表示部４００として表示装置３００に表示されることとなる。
【００４０】
図２１は、ホイール付きマウス１０１を使用した場合の文字決定処理のフローチャートを示している。なお、このフローチャートは、コンピュータ２００内の記憶装置に予め記憶されている。
【００４１】
まず、オペレータは、キーボード１０３を操作することにより、表示装置３００により図７〜図２０に示された文字種別のうちから、希望する文字種別として例えば、図７に示す平仮名の表示文字一覧を選択する（ステップＳ１）。
【００４２】
そして、コンピュータ２００は、オペレータが、例えば図７の平仮名文字一覧を選択したことに伴い、図７の平仮名文字一覧の例えば、最上部の３行５列のドラムロール式の文字選択表示部４００を生成して表示装置３００に表示させる（ステップＳ１）。なお、どこから始めるかは、任意であり、図３の文字選択表示部４００は、その後、オペレータがドラムロール式に行選択処理を順次繰り返した結果を示している。
【００４３】
この後、コンピュータ２００は、上記のステップＳ１を実行した後、その操作が左クリック操作か否かの判定を実行する（ステップＳ２）。左クリック操作であった場合（Ｙ）は、マウスカーソル７００が入力可能な文字であるか否かの判定を実行する（ステップＳ３）。入力可能な文字であった場合（Ｙ）は、カーソル位置文字の文字決定処理２０３（ステップＳ２０４）と音声再生処理（ステップＳ２０５）を行って処理を終了する。処理ステップＳ３においてマウスカーソル７００が入力可能な文字でなかった場合（Ｎ）は何も処理を行わず処理を終了する。
【００４４】
処理ステップＳ２において、マウス操作が左クリックでなかった場合（Ｎ）は、ホイール回転操作であるか否かの判定を実行する（ステップＳ６）。処理ステップＳ６がホイール操作であった場合（Ｙ）は、ホイールの回転方向が上方向か下方向かの判定を実行する（ステップＳ７）。処理ステップＳ７が上方向（Ｙ）であった場合は文字選択表示部４００を上方向に切り替え（ステップＳ８）、処理を終了する。逆に処理ステップＳ７が下方向（Ｎ）であった場合は文字選択表示部４００を下方向に切り替え（ステップＳ９）、処理を終了する。
【００４５】
処理ステップＳ６がホイール操作でなかった場合（Ｎ）はマウス操作がカーソル移動操作であるか否かを判定する（ステップＳ１０）。この処理ステップＳ１０が移動操作であった場合（Ｙ）はマウスカーソル７００が文字選択表示部４００内かどうかの判定を実行する（ステップＳ１１）。この処理ステップＳ１１が文字選択表示部４００内であった場合（Ｙ）は、マウスカーソル７００が選択可能文字かどうかの判定を実行する（ステップＳ１２）。この処理ステップＳ１２で選択可能文字であった場合（Ｙ）は、マウスカーソル位置の文字を選択中文字６００にして（ステップＳ１３）処理を終了する。処理ステップＳ１１が文字選択表示部４００内ではなかった場合（Ｎ）、何も行わずに処理を終了する。処理ステップＳ１２が選択可能文字ではなかった場合（Ｎ）、何も行わずに処理を終了する。
【００４６】
実施の形態２．
図２２は、タッチパネル１０２を使用した場合の文字決定処理のフローチャートを示している。なお、このフローチャートは、コンピュータ２００内の記憶装置に予め記憶されている。
【００４７】
まず、オペレータは、キーボード１０３を操作することにより、表示装置３００により図７〜図２０に示された文字種別のうちから、希望する文字種別として例えば、図７に示す平仮名の表示文字一覧を選択する（ステップＳ１４）。
【００４８】
そして、コンピュータ２００は、オペレータが、例えば図７の平仮名文字一覧を選択したことに伴い、図７の平仮名文字一覧の例えば、最上部の３行５列のドラムロール式の文字選択表示部４００を生成して表示装置３００に表示させる（ステップＳ１４）。なお、どこから始めるかは、任意であり、図３の文字選択表示部４００は、その後、オペレータがドラムロール式に行選択処理を順次繰り返した結果を示している。
【００４９】
その後、コンピュータ２００は、上記のステップＳ１を実行した後、その操作がタップ操作か否かの判定を実行する（ステップＳ１５）。タップ操作であった場合（Ｙ）は、タップした位置が入力可能な文字であるか否かの判定を実行する（ステップＳ１６）。入力可能な文字であった場合（Ｙ）はタップ位置の文字を選択中文字６００にして（ステップＳ１７）、タップ位置の文字決定処理２０３（ステップＳ１８）と音声再生処理２０４（ステップＳ１９）を行って処理を終了する。処理ステップＳ１６においてタップ位置が入力可能な文字でなかった場合（Ｎ）は何も処理を行わず処理を終了する。
【００５０】
処理ステップＳ１５において、タッチパネル操作がタップ操作でなかった場合（Ｎ）はフリック操作であるか否かの判定を実行する（ステップＳ２０）。処理ステップＳ２０がフリック操作であった場合（Ｙ）はフリック方向が上方向か下方向かの判定を実行する（ステップＳ２１）。処理ステップＳ２１が上方向（Ｙ）であった場合は文字選択表示部４００を上方向に切り替え（ステップＳ２２）、処理を終了する。逆に処理ステップＳ２１が下方向（Ｎ）であった場合は文字選択表示部４００を下方向に切り替え（ステップＳ２３）処理を終了する。処理ステップＳ２０において、タッチパネル操作がフリック処理ではなかった場合（Ｎ）、何も行わずに処理を終了する。
【００５１】
以上のように、本発明においては、ドラムロールを回転させることにより、表示文字一覧を部分的に表示し、選択可能にしたことにより、文字順の規則性を十分に知らない人でも容易に目的の文字を目付出すことができ、目的の文字入力が出来る。
【００５２】
さらに、決定された文字を音声で再確認できるようにしたので、目的の文字の形状を正確に覚えていなくても音声で覚えていれば確実に目的の文字を入力することもできる。
【符号の説明】
【００５３】
１００：入力装置
１０１：ホイール付きマウス
１０１ａ：マウスホイール
１０１ｂ：マウスボタン
１０２：タッチパネル
１０３：キーボード
２００：コンピュータ
２０１：行選択処理
２０２：列選択処理
２０３：文字決定処理
２０４：音声再生処理
３００：表示装置
４００：文字選択表示部
５００：非選択文字
６００：選択中文字
７００：マウスカーソル。
【図１】
2017153023.tif 000003
【図２】
2017153023.tif 000004
【図３】
2017153023.tif 000005
【図４】
2017153023.tif 000006
【図５】
2017153023.tif 000007
【図６】
2017153023.tif 000008
【図７】
2017153023.tif 000009
【図８】
2017153023.tif 000010
【図９】
2017153023.tif 000011
【図１０】
2017153023.tif 000012
【図１１】
2017153023.tif 000013
【図１２】
2017153023.tif 000014
【図１３】
2017153023.tif 000015
【図１４】
2017153023.tif 000016
【図１５】
2017153023.tif 000017
【図１６】
2017153023.tif 000018
【図１７】
2017153023.tif 000019
【図１８】
2017153023.tif 000020
【図１９】
2017153023.tif 000021
【図２０】
2017153023.tif 000022
【図２１】
2017153023.tif 000023
【図２２】
2017153023.tif 000024
【手続補正書】
【提出日】平成28年10月17日(2016.10.17)
【手続補正１】
【補正対象書類名】明細書
【補正対象項目名】００１１
【補正方法】変更
【補正の内容】
【００１１】
上記の目的を達成するため、本発明に係る文字入力装置は、行と列で構成される表示文字一覧のデータを予め記憶するとともに表示開始時に前記表示装置の文字選択表示部に前記表示文字一覧をドラムロール式に部分的に表示し、前記ポインティングデバイスによって前記文字選択表示部を前記行方向に回転させる行選択処理と、前記行選択された文字一覧の中から、希望する文字の列選択を実行することにより、選択されている文字を変更する列選択処理と、前記行選択処理及び前記列選択処理によって文字を決定する文字決定処理とを実行する演算装置とを備え、前記ポインティングデバイスがホイール付きマウスであり、前記演算装置は、前記マウスのマウスホイールが回転させられたときに前記行選択処理を実行し、前記マウスが移動させられたときに前記列選択処理を実行し、前記マウスのマウスボタンがクリックされたときに前記文字決定処理を実行するものである。
【手続補正２】
【補正対象書類名】明細書
【補正対象項目名】００１２
【補正方法】変更
【補正の内容】
【００１２】
また、上記の目的を達成するため、本発明では、行と列で構成される表示文字一覧のデータを予め記憶し、表示開始時に表示装置の文字選択表示部に前記表示文字一覧をドラムロール式に部分的に表示し、ポインティングデバイスによって前記文字選択表示部を前記行方向に回転させる行選択処理と、前記行選択された文字一覧の中から、希望する文字の列選択を実行することにより、選択されている文字を変更する列選択処理と、前記行選択処理及び前記列選択処理によって文字を決定する文字決定処理とを実行し、前記ポインティングデバイスがホイール付きマウスのとき、前記マウスのマウスホイールが回転させられたときに前記行選択処理を実行し、前記マウスが移動させられたときに前記列選択処理を実行し、前記マウスのマウスボタンがクリックされたときに前記文字決定処理を実行する文字入力方法が提供される。
【手続補正３】
【補正対象書類名】特許請求の範囲
【補正対象項目名】全文
【補正方法】変更
【補正の内容】
【特許請求の範囲】
【請求項１】
ポインティングデバイスと、
表示装置と、
行と列で構成される表示文字一覧のデータを予め記憶するとともに表示開始時に前記表示装置の文字選択表示部に前記表示文字一覧をドラムロール式に部分的に表示し、前記ポインティングデバイスによって前記文字選択表示部を前記行方向に回転させる行選択処理と、前記行選択された文字一覧の中から、希望する文字の列選択を実行することにより、選択されている文字を変更する列選択処理と、前記行選択処理及び前記列選択処理によって文字を決定する文字決定処理とを実行する演算装置とを備え、
前記ポインティングデバイスがホイール付きマウスであり、
前記演算装置は、前記マウスのマウスホイールが回転させられたときに前記行選択処理を実行し、前記マウスが移動させられたときに前記列選択処理を実行し、前記マウスのマウスボタンがクリックされたときに前記文字決定処理を実行する
文字入力装置。
【請求項２】
前記表示文字一覧の文字は、ひらがな、片仮名、及びアルファベットのいずれか一つである
請求項１に記載の文字入力装置。
【請求項３】
前記演算装置は、入力装置から前記表示開始の指示を受けたとき、前記表示文字一覧から前記文字選択表示部に変換して前記表示装置に表示させる
請求項１又は２に記載の文字入力装置。
【請求項４】
前記演算装置は、前記文字決定処理によって決定した文字をさらに再生する音声再生処理を実行する
請求項１に記載の文字入力装置。
【請求項５】
行と列で構成される表示文字一覧のデータを予め記憶し、
表示開始時に表示装置の文字選択表示部に前記表示文字一覧をドラムロール式に部分的に表示し、
ポインティングデバイスによって前記文字選択表示部を前記行方向に回転させる行選択処理と、前記行選択された文字一覧の中から、希望する文字の列選択を実行することにより、選択されている文字を変更する列選択処理と、前記行選択処理及び前記列選択処理によって文字を決定する文字決定処理とを実行し、
前記ポインティングデバイスがホイール付きマウスのとき、
前記マウスのマウスホイールが回転させられたときに前記行選択処理を実行し、前記マウスが移動させられたときに前記列選択処理を実行し、前記マウスのマウスボタンがクリックされたときに前記文字決定処理を実行する
文字入力方法。
【請求項６】
前記表示文字一覧の文字は、ひらがな、片仮名、及びアルファベットのいずれか一つである
請求項５に記載の文字入力方法。
【請求項７】
入力装置から前記表示開始を受けたとき、前記表示文字一覧から前記文字選択表示部に変換して前記表示装置に表示させる
請求項５又は６に記載の文字入力方法。
【請求項８】
前記文字決定処理によって決定した文字をさらに再生する音声再生処理を実行する
請求項５に記載の文字入力方法。
【請求項９】
請求項５から８のいずれか１項に記載の文字入力方法をコンピュータに実行させる文字入力プログラム。